(57)【要約】【課題】水熱交換器の取り外し、取り付けまたは点検を容易にできる貯湯ユニットを提供する。【解決手段】前方の缶体脚５０は、缶体１１に対して、上下方向にスライド可能である。これにより、この缶体脚５０を上方にスライドさせることで、水熱交換器１２を容易にメンテナンスできる。【選択図】図７
2014231957.tif 000002
【特許請求の範囲】
【請求項１】
温水を貯留する缶体（１１）と、
上記缶体（１１）を支える複数の缶体脚（５０）と、
上記缶体（１１）の下側に配置されると共に上記缶体（１１）に貯留される温水を加熱するための水熱交換器（１２）と
を備え、
少なくとも一つの上記缶体脚（５０）は、上記缶体（１１）に対して、移動可能であることを特徴とする貯湯ユニット。
【請求項２】
請求項１に記載の貯湯ユニットにおいて、
上記少なくとも一つの缶体脚（５０）は、上記缶体（１１）に対して、上下方向にスライド可能であることを特徴とする貯湯ユニット。
【請求項３】
請求項１または２に記載の貯湯ユニットにおいて、
上記缶体（１１）、上記缶体脚（５０）および上記水熱交換器（１２）を収容するケーシング（４０）を備え、
上記ケーシング（４０）は、メンテナンス用開口部（４７）を有し、
上記少なくとも一つの缶体脚（５０）は、上記メンテナンス用開口部（４７）に対向する位置にあることを特徴とする貯湯ユニット。
【請求項４】
請求項１から３の何れか一つの貯湯ユニット（１）と、
上記貯湯ユニット（１）の上記水熱交換器（１２）に接続される圧縮機（２１）、膨張手段（２２）および空気熱交換器（２３）を含むヒートポンプユニット（２）と
を備えることを特徴とする給湯装置。
【発明の詳細な説明】
【技術分野】
【０００１】
この発明は、貯湯ユニットおよび給湯装置に関する。
【背景技術】
【０００２】
従来、貯湯ユニットとしては、特開２００９−１８０４８７号公報（特許文献１）に記載されたものがある。この貯湯ユニットは、缶体と、缶体に貯留される温水を加熱するためのヒートポンプとを備えている。ヒートポンプは、圧縮機と水熱交換器と膨張弁と空気熱交換器とを有する。水熱交換器は、缶体の下側に配置されている。
【先行技術文献】
【特許文献】
【０００３】
【特許文献１】特開２００９−１８０４８７号公報
【発明の概要】
【発明が解決しようとする課題】
【０００４】
ところで、上記従来の貯湯ユニットでは、水熱交換器をメンテナンスで交換することは、考慮されていなかった。もし、水熱交換器に不具合が生じた場合に、水熱交換器を交換しようとすると、缶体の底部に固定された複数の脚が邪魔になって、水熱交換器を取り出すことができない。このため、貯湯ユニットを横倒し、ケーシングの底板などを取り外してから、ケーシングの底側から水熱交換器を取り外さなければならず、手間である。また、貯湯ユニットごと交換する場合には、コストの面で課題があった。
【０００５】
そこで、この発明の課題は、水熱交換器の取り外し、取り付けまたは点検を容易にできる貯湯ユニットおよび給湯装置を提供することにある。
【課題を解決するための手段】
【０００６】
上記課題を解決するため、この発明の貯湯ユニットは、
温水を貯留する缶体と、
上記缶体を支える複数の缶体脚と、
上記缶体の下側に配置されると共に上記缶体に貯留される温水を加熱するための水熱交換器と
を備え、
少なくとも一つの上記缶体脚は、上記缶体に対して、移動可能であることを特徴としている。
【０００７】
この発明の貯湯ユニットによれば、上記少なくとも一つの缶体脚は、上記缶体に対して、移動可能である。これにより、例えば、水熱交換器のメンテナンス時に、この缶体脚を缶体に対して移動させることで、缶体を起立したまま、水熱交換器を容易に取り外し、取り付け、または、点検することができる。
【０００８】
また、一実施形態の貯湯ユニットでは、上記少なくとも一つの缶体脚は、上記缶体に対して、上下方向にスライド可能である。
【０００９】
この実施形態の貯湯ユニットによれば、上記少なくとも一つの缶体脚は、上記缶体に対して、上下方向にスライド可能である。これにより、この缶体脚を上方にスライドさせることで、水熱交換器をメンテナンスでき、作業性が一層向上する。
【００１０】
また、一実施形態の貯湯ユニットでは、
上記缶体、上記缶体脚および上記水熱交換器を収容するケーシングを備え、
上記ケーシングは、メンテナンス用開口部を有し、
上記少なくとも一つの缶体脚は、上記メンテナンス用開口部に対向する位置にある。
【００１１】
この実施形態の貯湯ユニットによれば、上記少なくとも一つの缶体脚は、上記ケーシングの上記メンテナンス用開口部に対向する位置にある。これにより、メンテナンス用開口部から缶体脚を操作して、メンテナンス用開口部から水熱交換器をメンテナンスできる。
【００１２】
また、一実施形態の給湯装置では、
上記貯湯ユニットと、
上記貯湯ユニットの上記水熱交換器に接続される圧縮機、膨張手段および空気熱交換器を含むヒートポンプユニットと
を備える。
【００１３】
この実施形態の給湯装置によれば、上記ヒートポンプユニットは、上記圧縮機、上記膨張手段および上記空気熱交換器を含む。これにより、貯湯ユニットに、圧縮機、膨張手段または空気熱交換器を配置していないので、水熱交換器のメンテナンスの際に邪魔になるものがなくてメンテナンスが一層容易になる。
【発明の効果】
【００１４】
この発明の貯湯ユニットおよび給湯装置によれば、少なくとも一つの缶体脚は、缶体に対して移動可能であるので、水熱交換器の取り外し、取り付けまたは点検を容易にできる。
【図面の簡単な説明】
【００１５】
【図１】本発明の一実施形態の給湯装置を示す簡略構成図である。
【図２】給湯装置の回路図である。
【図３】貯湯ユニットの斜視図である。
【図４】貯湯ユニットの配管などを取り除いた状態を示す斜視図である。
【図５】スライド可能な缶体脚の上端を示す斜視図である。
【図６】スライド可能な缶体脚の下端を示す斜視図である。
【図７】水熱交換器のメンテナンス方法について説明する説明図である。
【発明を実施するための形態】
【００１６】
以下、この発明を図示の実施の形態により詳細に説明する。
【００１７】
図１は、この発明の一実施形態の給湯装置を示す簡略構成図である。図２は、給湯装置の回路図である。図１と図２に示すように、給湯装置は、温水を貯留する貯湯ユニット１と、貯湯ユニット１に貯留される温水を加熱するためのヒートポンプユニット２とを備える。
【００１８】
上記貯湯ユニット１は、温水を貯留する缶体１１と、上記缶体１１に貯留される温水を加熱するための水熱交換器１２とを有する。上記ヒートポンプユニット２は、水熱交換器を除く冷媒回路を備えている。つまり、ヒートポンプユニット２は、上記水熱交換器１２に接続される圧縮機２１、膨張手段２２および空気熱交換器２３を含む。圧縮機２１、水熱交換器１２、膨張手段２２および空気熱交換器２３は、冷媒配管３１を介して、順に接続される。水熱交換器１２は、凝縮器として作用し、空気熱交換器２３は、蒸発器として作用する。膨張手段２２は、例えば、膨張弁である。
【００１９】
上記缶体１１の底部には、給水源Ｅに接続される給水配管３２から分岐した一方の入水流路３２ａが、接続されている。これにより、給水源Ｅから供給される市水が、入水流路３２ａを介して、缶体１１の底部に導入される。また、缶体１１の底部には、循環配管３３の一端が、接続されている。この循環配管３３には、循環ポンプ３４および上記水熱交換器１２が接続されている。
【００２０】
上記缶体１１の頂部には、上記循環配管３３の他端が接続されている。また、缶体１１の頂部には、給湯配管３５を介して、混合弁３６が接続されている。この混合弁３６には、給水配管３２から分岐した他方の入水流路３２ｂと、給湯端末Ｔとが接続されている。これにより、缶体１１の頂部から出湯された温水を、給水源Ｅから供給される水と混合することが可能となり、給湯端末Ｔにおいて、所望の温度の温水を供給できる。なお、図２では省略しているが、図１に示すように、缶体１１には、風呂用循環配管３７が接続され、風呂の水を循環させる。
【００２１】
そして、上記圧縮機２１および上記循環ポンプ３４を駆動させると、缶体１１内の水が、缶体１１の底部から循環配管３３を流れる。このとき、循環配管３３を流れる水は、水熱交換器１２によって加熱され（沸き上げられ）、缶体１１の頂部に返流される。このような動作を継続して行うことによって、缶体１１に高温の温水を貯留することができる。缶体１１内の温水は、給湯端末Ｔや風呂に供給される。
【００２２】
図３は、上記貯湯ユニット１の斜視図を示す。図４は、図３の配管などを取り除いた状態を示す斜視図である。図３と図４に示すように、貯湯ユニット１は、ケーシング４０を有する。ケーシング４０は、前板４１と、左右の側板４２，４２と、後板４３と、上板４４と、底板４５とを有する。
【００２３】
上記ケーシング４０には、缶体１１および水熱交換器１２が収容されている。缶体１１および水熱交換器１２は、それぞれ、断熱材１３，１４に覆われている。缶体１１の前方には、配管（例えば、図１、図２に示される配管３１，３２，３３，３５，３７）や電装品が、配置されている。
【００２４】
上記缶体１１は、３つの缶体脚５０に支えられ、起立している。缶体脚５０は、前板４１側に１つあり、後板４３側に２つある。缶体脚５０の上端は、缶体１１の側面に取り付けられ、缶体脚５０の下端は、底板４５に取り付けられる。缶体脚５０は、底板４５の下面に取り付けられるケーシング脚４６とは別体である。缶体脚５０は、ケーシング４０に収容されている。
【００２５】
上記缶体１１は、上記缶体脚５０により、上記底板４５から離隔され、缶体１１の底面と缶体脚５０と底板４５で囲まれた空間が形成される。この空間（つまり、缶体１１の下側）に、水熱交換器１２が配置される。
【００２６】
上記ケーシング４０の前板４１には、メンテナンス用開口部４７が設けられ、このメンテナンス用開口部４７には、蓋板４８が取り外し可能に取り付けられている。メンテナンス用開口部４７は、水熱交換器１２に対向する位置にある。
【００２７】
上記蓋板４８の上側には、外部配管を、ケーシング４０の内部配管に接続するための継手が設けられている。ここで、外部配管を継手に接続すると、図１に示すように、外部配管３１，３２，３５，３７は、蓋板４８の前方に、柵状に配置される。
【００２８】
上記前板４１側の１つの缶体脚５０は、上記缶体１１に対して、上下方向にスライド可能である。一方、上記後板４３側の２つの缶体脚５０は、缶体１１に対して、固定されている。スライド可能な缶体脚５０は、水熱交換器１２の前方に位置し、メンテナンス用開口部４７に対向する位置にある。
【００２９】
図５に示すように、上記スライド可能な缶体脚５０の上端は、缶体１１の側面に固定されたガイド板５１に、上下方向にガイドされる。ガイド板５１は、Ｌ字状に形成され、このガイド板５１と缶体１１の側面との間の隙間に、缶体脚５０の上端が、差し込まれる。缶体脚５０の上端は、図示しない（ボルトなどの）固定具によって、ガイド板５１に固定可能となる。
【００３０】
図６に示すように、上記スライド可能な缶体脚５０の下端は、（ボルトなどの）固定具５２によって、底板４５に取り外し可能に固定される。固定具５２は、メンテナンス用開口部４７に臨んでいる。固定具５２には、例えば、ナットが螺合され、底板４５の下面側からナットを緩めて、メンテナンス用開口部４７から固定具５２を取り出すことができる。
【００３１】
次に、上記貯湯ユニット１の水熱交換器１２をメンテナンスする方法について説明する。
【００３２】
まず、図１に示すように、ケーシング４０の蓋板４８の前方に配置されている外部配管３１，３２，３５，３７を、ケーシング４０の継手から取り外して、図７（ａ）に示すように、蓋板４８を露出させる。このとき、蓋板４８の前方には、配管３１，３２，３５，３７のみがあり、圧縮機２１などの重量物がないため、蓋板４８の露出作業は容易となる。
【００３３】
なお、図７では、缶体脚５０の動きをわかりやすくするため、缶体１１の前方に配置される配管や電装品（図３参照）を省略して描いている。これらの配管や電装品の全てを、ケーシング４０から取り外している意味ではない。
【００３４】
その後、蓋板４８を取り外し、図７（ｂ）に示すように、メンテナンス用開口部４７からスライド可能な缶体脚５０を露出させる。そして、このメンテナンス用開口部４７から、缶体脚５０の下端の固定具５２（図６参照）を取り外す。なお、缶体脚５０の上端の固定具については、缶体１１の前方の電装品を一部取り除き、この取り除いた部分から、固定具を取り外すことができる。
【００３５】
その後、図７（ｃ）に示すように、上記缶体脚５０を上方にスライドさせて、メンテナンス用開口部４７から水熱交換器１２を露出させる。このようにして、メンテナンス用開口部４７から水熱交換器１２をメンテナンスすることができる。なお、前方のスライド可能な缶体脚５０を上方にスライドしても、缶体脚５０は、後方の固定された２つの缶体脚５０により、起立状態を維持できる。
【００３６】
上記構成の貯湯ユニット１によれば、上記前方の缶体脚５０は、上記缶体１１に対して、移動可能である。これにより、例えば、水熱交換器１２のメンテナンス時に、この缶体脚５０を缶体１１に対して移動させることで、缶体１１を起立したまま、水熱交換器１２を容易に取り外し、取り付け、または、点検することができる。
【００３７】
これに対して、従来では、万一、水熱交換器をメンテナンスしようとすると、貯湯ユニットを横倒して、貯湯ユニットの底側から水熱交換器を取り外さなければならず、手間であった。つまり、従来では、水熱交換器をメンテナンスするということは、全く、考慮されていなかった。
【００３８】
また、上記前方の缶体脚５０は、上記缶体１１に対して、上下方向にスライド可能である。これにより、この缶体脚５０を上方にスライドさせることで、水熱交換器１２をメンテナンスでき、作業性が一層向上する。
【００３９】
また、上記スライド可能な缶体脚５０は、上記ケーシング４０の上記メンテナンス用開口部４７に対向する位置にある。これにより、メンテナンス用開口部４７から缶体脚５０を操作して、メンテナンス用開口部４７から水熱交換器１２をメンテナンスできる。したがって、ケーシング４０の両側板４２、前板４１、底板４５や後板４３などを外さなくても、水熱交換器１２をメンテナンスできる。
【００４０】
また、上記ヒートポンプユニット２は、上記圧縮機２１、上記膨張手段２２および上記空気熱交換器２３を含む。これにより、貯湯ユニット１に、圧縮機２１、膨張手段２２または空気熱交換器２３を配置していないので、水熱交換器１２のメンテナンスの際に邪魔になるものがなくてメンテナンスが一層容易になる。
【００４１】
なお、この発明は上述の実施形態に限定されない。例えば、缶体脚の数量の増減は、自由である。また、スライド可能な缶体脚は、複数であってもよい。
【００４２】
上記実施形態では、前方の缶体脚は、缶体に対してスライド可能であったが、前方の缶体脚を、缶体脚の上端を支点としてスイング可能としたり、缶体から離脱可能としてもよく、缶体に対して移動可能であればよい。
【符号の説明】
【００４３】
１  貯湯ユニット
２  ヒートポンプユニット
１１  缶体
１２  水熱交換器
２１  圧縮機
２２  膨張手段
２３  空気熱交換器
３１  冷媒配管
３２  給水配管
３３  循環配管
３５  給湯配管
３７  風呂用循環配管
４０  ケーシング
４７  メンテナンス用開口部
５０  缶体脚
【図１】
2014231957.tif 000003
【図２】
2014231957.tif 000004
【図３】
2014231957.tif 000005
【図４】
2014231957.tif 000006
【図５】
2014231957.tif 000007
【図６】
2014231957.tif 000008
【図７】
2014231957.tif 000009